(57)【要約】【課題】  陳列棚の前面に取り付けられ、商品情報や価格が表示される表示板の表示文字の変更作業を簡易化できるオープンショーケースを提供すること。【解決手段】  実施形態のオープンショーケースは、前面を開口したショーケース本体と、ショーケース本体の内部に設けられた陳列棚と、陳列棚の前方に設けられ、上方に延びる表示板取り付け部と、表示板取付け部に取り付けられ、商品情報を表示する表示板と、を有し、表示板は、それぞれが異なる商品情報を表示する２つの表示面と、２つの係止部を有し、２つの係止部のいずれか一方を選択的に表示板取り付け部に取り付けることで、陳列棚の前面に２つの表示面のいずれか一方を位置させるオープンショーケース。【選択図】図３
2019084137.tif 000002
【特許請求の範囲】
【請求項１】
前面を開口したショーケース本体と、
前記ショーケース本体の内部に設けられた陳列棚と、
前記陳列棚の前方に設けられ、上方に延びる表示板取り付け部と、
前記表示板取り付け部に取り付けられ、商品情報を表示する表示板と、を有し、
前記表示板は、それぞれが異なる商品情報を表示する２つの表示面と、２つの係止部を有し、
前記２つの係止部のいずれか一方を選択的に前記表示板取り付け部に取り付けることで、前記陳列棚の前面に前記２つの表示面のいずれか一方を位置させるオープンショーケース。
【請求項２】
前記表示板の断面は、点対称なＳ字状である、請求項１に記載のオープンショーケース。
【請求項３】
前記表示板の長手方向の寸法は、前記陳列棚の幅方向の長さとほぼ同一である、請求項１または請求項２のいずれかに記載のオープンショーケース。
【請求項４】
前記表示板は、前後方向に同形状の表示板を連結可能な請求項１または請求項３のいずれかに記載のオープンショーケース。
【請求項５】
前記表示板の前面に、商品の価格が表示されるプライスホルダを前記表示板の他方の係止部に着脱自在に取り付け可能な請求項１乃至請求項４のいずれかに記載のオープンショーケース。
【請求項６】
前面を開口したオープンショーケース本体の陳列棚の前方に取り付けられる表示板であって、
前記表示板は、それぞれが異なる商品情報を表示する２つの表示面と、逆方向から係止できる２つの係止部を有する表示板。
【発明の詳細な説明】
【技術分野】
【０００１】
本発明の実施形態は、オープンショーケースとオープンショーケースに取り付ける表示板に関する。
【背景技術】
【０００２】
従来、コンビニエンスストアなどに設置されるオープンショーケースでは、陳列される商品の価格を表示する際、陳列棚の前面にプライスカードレールを取り付け、そのプライスカードレールに価格が表示されるプライスホルダを取り付けるものが提供されている。（特許文献１）
また、１つのオープンショーケースに温かい商品と冷たい商品を陳列するオープンショーケースでは、顧客が一目で温かい商品か冷たい商品かを判断できるように、陳列棚ごとに「ＨＯＴ」または「ＣＯＬＤ」のような商品情報を表示させるものがある。このようなオープンショーケースでは、プライスカードレールに表裏２パターンの商品情報を表示させた帯を設け、陳列される商品に合わせて表裏を置き換えるものや、陳列棚の前方に設けられ、商品の落下を防ぐ棚ガードに商品情報の表示シールなどを貼り替て表示させるものなどが知られている。
近年、コンビニエンスストア業界において、作業の簡易化が求められており、プライスカードレールやプライスホルダの取り替え作業についても、より作業が容易となるオープンショーケースやプライスカードレールの構造が検討されている。
【先行技術文献】
【特許文献】
【０００３】
【特許文献１】実開平２−８１３８２号公報
【発明の概要】
【発明が解決しようとする課題】
【０００４】
本発明が解決しようとする課題は、陳列棚の前面に取り付けられ、商品情報や価格が表示されるプライスカードレールの表示文字の変更作業を簡易化できるオープンショーケースおよび表示板を提供することである。
【課題を解決するための手段】
【０００５】
上記課題を達成するために、実施形態のオープンショーケースは、前面を開口したショーケース本体と、ショーケース本体の内部に設けられた陳列棚と、陳列棚の前方に設けられ、上方に延びる表示板取り付け部と、表示板取り付け部に取り付けられ、商品情報を表示する表示板とを有する。表示板は、それぞれが異なる商品情報を表示する２つの表示面と、２つの係止部を有し、２つの係止部のいずれか一方を選択的に表示板取り付け部に取り付けることで、陳列棚の前面に２つの表示面のいずれか一方を位置させる。
【図面の簡単な説明】
【０００６】
【図１】本実施形態に係るオープンショーケースの斜視図である。
【図２】同実施形態に係るオープンショーケースの一部を破断した側面図である。
【図３】同実施形態に係る陳列棚の前方の斜視図である。
【図４】同実施形態に係る２つのプライスカードレールを連結した図である。
【発明を実施するための形態】
【０００７】
以下、発明を実施するための実施形態について説明する。
図１は、本実施形態のオープンショーケース１の斜視図である。図２はオープンショーケース１の一部を破断した側面図である。
オープンショーケース１は前面を開口したオープンショーケース本体２と、オープンショーケース本体２の開口部３に陳列室１０と、オープンショーケース本体２内の上部、背面部、底部に形成されるダクト２０（上部ダクト２１、背面ダクト２２、底部ダクト２３）と、底部に機械室３０とから構成される。
上部ダクト２１は陳列室１０の天板１１、背面ダクト２２は陳列室１０の背面板１２、底部ダクト２３は陳列室１０の底板１３によってオープンショーケース本体２の開口部３とから仕切られる。
【０００８】
オープンショーケース本体２は断熱壁４を有している。断熱壁４は背面部を上下方向に延びる背面断熱壁４ｂと、背面断熱壁４ｂの上端部から前方へ延びる上部断熱壁４ａと、背面断熱壁４ｂの下端部から前方へ延びる下部断熱壁４ｃとから形成される。機械室３０前面は板金などで形成された基台６であり、断熱壁４を支持している。
【０００９】
機械室３０及び背面ダクト２２の左右両端は側板７で囲まれ、陳列室１０の左右両端はガラスなどの透明な材料で形成された窓部１４によって囲まれている。
【００１０】
ダクト２０は、オープンショーケース本体２の上部ダクト２１の前方の下端に吹出し口２４が設けられ、吹出し口２４に対向する底部ダクト２３の上部に吸込み口２５が設けられる。
【００１１】
機械室３０は、送風機３１と冷却器３２が備えられる。送風機３１は、機械室３０を仕切る仕切り板３３に取り付けられている。冷却器３２は機械室３０と背面ダクト２２が連通する部分に取り付けられ、オープンショーケース１の外部に設けられた圧縮機や凝縮器等を有する冷凍回路に接続されている。
【００１２】
陳列室１０は、上部を天板１１と、底部を底板１３と、背面を背面板１２と、左右側面を窓部１４とで囲まれ、前方が開口し、陳列室１０内には商品を陳列する陳列棚１８が上下方向に複数設けられる。背面板１２には、各陳列棚１８上に陳列した商品を冷却するための複数の冷却用吹き出し口が設けられる。冷却用吹き出し口の幅方向の長さは、陳列棚１８の幅方向長さと同じか、それよりもわずかに長く形成される。冷却用吹出し口が背面板１２に設けられる一方で、背面板１２に設けられる陳列棚１８上に商品が並べられるところから、冷却用吹出し口は前方の商品へ向かって開口されることになる。
【００１３】
空気の流れを図２に矢印で示す。機械室３０に収容される送風機３１が駆動すると、吸込み口２５からオープンショーケース本体２内に空気が吸い込まれる。吸い込まれた空気は底部ダクト２３を通過して冷却機３２により冷却される。さらに、背面ダクト２２を通過しながら陳列室１０の背面板１２に設けられる冷却用吹き出し口から陳列室１０内に冷却された空気が吹出される。吹出されなかった空気は背面ダクト２２を通過し、上部ダクト２１へ流れ、上部ダクト２１に設けられた吹出し口２４から吹出される。吹出し口２４から吹出された空気は、オープンショーケース本体２の前面にエアカーテンを形成し、陳列室１０の冷気が外部に流れ出るのを防止し、さらにオープンショーケース本体２の外部から陳列室１０への外部空気の侵入を阻止している。また、吹出し口２４から吹き出された空気は再び底部ダクト２３に設けられた吸込み口２５からオープンショーケース本体２内に吸い込まれる。
【００１４】
陳列棚１８は、内部空間のある箱状になっており、その内部壁には、陳列棚１８上の商品を加温するためのヒータが埋設されている。このヒータは、スイッチによって必要に応じて発熱／停止を制御されるようになっている。
したがって、このオープンショーケース１は冷却と加温が可能であり、冷却用ショーケースまたは加温用ショーケースとして使い分けることもできるし、陳列棚の棚ごとに冷却と加温を行うことができる。
【００１５】
図３は陳列棚１８の前方を示した斜視図である。陳列室１０に設けられる陳列棚１８は、前方に向かってやや下方に傾斜しており、前に置かれた商品が取り出されると後ろの商品が前に滑り、常に商品が前方に置かれるようなっている。このため、陳列棚１８の前方には商品の落下を防ぐ棚ガード１９が設けられている。棚ガード１９はアクリル製の透明な板状である。さらに陳列棚１８には棚ガード１９よりも前方に、表示板であるプライスカードレール４０を取り付けるための上方に延びるプライスカードレール取り付け部４７が設けられる。ここで、プライスカードレール４０は例えば表裏両面の一方の面に「ＨＯＴ」の表示がされており、他方の面に「ＣＯＬＤ」の表示がされている。これらの表示は文字や色により視認しやすい表示であることが好ましい。
【００１６】
プライスカードレール取り付け部４７には陳列棚１８の幅方向とほぼ同一長さの長手方向寸法を有して形成されたプライスカードレール４０が取り付けられる。プライスカードレール４０は長手方向に直行する縦断面形状が一様な断面形状に形成されており、その縦断面形状が基点Ｐを中心とする点対称なＳ字状で、２つの係止部４１ａ，４１ｂを有している。２つの係止部４１ａ、４１ｂのどちらか一方でプライスカードレール取り付け部４７に係合する。Ｓ字状の縦断面形状は滑らかな曲面形状でもよく、角ばったＳ字形状としてもよい。
以下、図３における前方側の係止部を４１ａ、後方側の係止部を４１ｂとする。前方側の係止部４１ａには外側の表示面である前面４２ａが設けられ、後方側の係止部４１ｂには外側の表示面である後面４２ｂが設けられている。すなわち、プライスカードレール４０前方の表示面として前面４１ａを有し、後方の表示面として後面４１ｂを有している。前面４２ａと後面４２ｂには、陳列棚１８に陳列される商品が温かい商品であれば「ＨＯＴ」、冷たい商品であれば「ＣＯＬＤ」のように異なる商品情報を表示させる。この表示はオープンショーケース１を正面から見たときに表示文字を認識できれば良い。プライスカードレール４０は基点Ｐを中心とする点対称なＳ字状であるから、この表示文字は前面４２ａと後面４２ｂとで上下逆さになる。つまり、前面４２ａの表示文字と後面４２ｂの表示文字は隣接する係止部４１ａ、４１ｂが下側となるように表示され、オープンショーケース１の正面から見える面４２ａに「ＨＯＴ」の文字があるとき、陳列室１０内から見える面４２ｂの「ＣＯＬＤ」の文字は上下逆さになる。
【００１７】
上記のように形成されたプライスカードレール４０は、前面４２ａと後面４２ｂとで異なる２つの表示文字を上下逆さに備えていることにより、軽量で安価なプライスカードレール４０であっても、利用者の必要に応じて２つの表示文字を任意に変更する構成とすることができる。
表示文字を変更する際には、プライスカードレール４０の基点Ｐを回転軸として１８０度回転させることにより前面４２ａと後面４２ｂが入れ替わり、表示文字の上下方向もショーケース前面側が正常な配置となる。このように簡易な作業によって表示文字を変更することができる。
【００１８】
商品の価格を表示するプライスホルダ４５について説明する。プライスホルダ４５は、前面に商品の価格を表示したプライスカード４６を挿入する枠部４５ａと、後面に取り付け部４５ｂを有する。プライスカード４６はシール状で枠部に貼着する場合もある。プライスホルダ４５はプライスカードレール４０の前面側の係止部４１ａに向かって上から取り付け部を嵌め込んで取り付ける。なお、係止部４１ａ（４１ｂ）には、プライスカードレール取付け部４７からの脱落を防止するために、突起や爪、摩擦抵抗部等の係止構造を用いてよい。
上記のプライスホルダ４５は価格が表示されたプライスカード４６とプライスカードレール４０に取り付けるプライスホルダ４５が別体となっているが、プライスホルダ４５がデジタル式のもので、枠部４５ａに入力した価格を表示させ、プライスカード４６のような他部品を必要としないものであっても良い。
【００１９】
プライスカードレール４０は「ＨＯＴ」と「ＣＯＬＤ」だけでなく、「弁当」や「ドリンク」の表示など表示文字のパターンを増やしても良い。
また、「ＨＯＴ」や「ＣＯＬＤ」などの文字表示だけでなく、青や赤の色によって温度を表現する表示としてもよい。色による表示を行う場合は表面の塗装やプライスカードレール４０を構成する材料そのものに着色してもよい。
プライスカードレール取り付け部４７に取り付ける第１のプライスカードレール４０−１の前面に第２のプライスカードレール４０−２を連結する。連結した第２のプライスカードレール４０−２の前面４１ａの表示文字のみがオープンショーケース１の前面に表示される。連結方法は、図４のように第１のプライスカードレール４０−１の前面側の係止部４１ａ−１と第２のプライスカードレール４０−２の後方側の係止部４１ｂ−２の内側が向かい合う向きで前後にずらして嵌めこむ。
使用しないプライスカードレール４０は、上記のように連結して後方側に設置しておけば、収容場所を用意する必要がない。
【００２０】
以上説明した実施形態のオープンショーケース１によれば、プライスカードレール４０の断面が基点Ｐを中心とする点対称なＳ字状であり、その外側の２つの面４２ａ，４２ｂに商品情報が表示され、かつその表示文字が前面４２ａと後面４２ｂとで上下逆さにする。それにより、商品情報の表示文字を変更する際に、基点Ｐを回転軸にして回転させるだけの容易な作業となる。
さらに、商品情報を表示する面と棚への固定部分を略同一の高さにすることが可能となるため、棚前方側の表示部分をコンパクトにすることができ、陳列される商品の視認性を良好にしつつ商品情報の表示も良好に行うことができる。
【００２１】
さらに、１つのプライスカードレール４０は前面４２ａと後面４２ｂとで２パターンの商品情報を表示され、複数のパターンを用意しておけば様々な商品に対応可能である。また、プライスカードレール４０は前後に連結が可能で、オープンショーケース１に表示させない商品情報を載せたプライスカードレール４０は表示させるプライスカードレール４０の後方側に連結して取り付つけておけば、収容場所を用意する必要がなく、紛失するのを防ぐことができる。プライスカードレール４０を変更するときには、素早く取り替えることができる。
価格を表示するプライスホルダ４５は、枠部４５ａがオープンショーケース１の前面に見えるように取り付け部４５ｂをプライスカードレール４０に上からはめ込む単純な構造となっているため、簡単に取り替えることができる。
【００２２】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれる。
【符号の説明】
【００２３】
１…オープンショーケース、２…オープンショーケース本体、１８…陳列棚、１９…棚ガード、４０…プライスカードレール、４０−１…第１のプライスカードレール、４０−２…第２のプライスカードレール、４１ａ…前方側の係止部、４１ｂ…後方側の係止部、４２ａ、４２ｂ…外側の面、４５…プライスホルダ、４５ａ…枠部、４５ｂ…取り付け部、４６…プライスカード、４７…プライスカードレール取り付け部、Ｐ…基点
【図１】
2019084137.tif 000003
【図２】
2019084137.tif 000004
【図３】
2019084137.tif 000005
【図４】
2019084137.tif 000006